(57)【要約】【課題】装飾部による装飾効果を高めることが可能な遊技機の提供を目的とする。【解決手段】本発明の遊技機１０は、 発光素子３３を備えた発光基板３３と、その発光基板３８を表側から覆い、発光基板３８からの光を透過させる前側ケース構成体７０を備えた第１装飾部３１と、第１装飾部３１の外側近傍に配置される第２装飾部３２と、を有する。そして、遊技機１０には、発光基板３８からの光を第２装飾部３２側へ導く光案内路Ｒが形成されている。【選択図】図８
2019165972.tif 000002
【特許請求の範囲】
【請求項１】
発光手段と、
前記発光手段を表側から覆い、前記発光手段からの光を透過させる光透過部を備えた第１装飾部と、
前記第１装飾部の外側近傍に配置される第２装飾部と、を有する遊技機において、
前記発光手段からの光を前記第２装飾部側へ導く光案内手段が形成されている、遊技機。
【請求項２】
前記第１装飾部は、前記第２装飾部に対して表側に配置され、
前記光案内手段は、前記第１装飾部と前記第２装飾部との間に形成された空間としての光案内路である、請求項１に記載の遊技機。
【請求項３】
前記光案内路は、前記第１装飾部の裏面に形成されて前記第２装飾部に近づくにつれて前記発光手段から離れるように傾斜した第１傾斜面により画成される、請求項２に記載の遊技機。
【請求項４】
前記第１装飾部は、表裏方向で対向する１対のプレート部の間に光拡散板を挟んでなり、
前記光透過部は、前記１対のプレート部のそれぞれに形成された開口部と前記光拡散板とによって形成され、
前記第１傾斜面は、前記１対のプレート部のうち裏側のプレート部の裏面に形成されている、請求項３に記載の遊技機。
【請求項５】
前記光案内路は、前記第２装飾部のうち前記第１装飾部と対向する面に形成されて表側へ向かうにつれて前記第１装飾部から離れるように傾斜した第２傾斜面により画成される、請求項２乃至４のうち何れか１の請求項に記載の遊技機。
【請求項６】
前記第２装飾部には、前記第１装飾部を囲むフレーム部と、前記フレーム部の内側に架け渡された架橋部と、が備えられ、
前記第２傾斜面は、前記フレーム部の内側を向く面に形成され、
前記第１装飾部は、前記架橋部に表側から当接している、請求項５に記載の遊技機。
【請求項７】
前記第１装飾部の裏面には、前記架橋部を受容する係合溝が設けられている、請求項６に記載の遊技機。
【発明の詳細な説明】
【技術分野】
【０００１】
本発明は、装飾部を有する遊技機に関する。
【背景技術】
【０００２】
特許文献１の遊技機では、第１装飾部としてのロゴ役物が第２装飾部としての枠体に囲まれている。
【先行技術文献】
【特許文献】
【０００３】
【特許文献１】特開２０１０−１１９７１０号（段落［００３７］、図２８，２９）
【発明の概要】
【発明が解決しようとする課題】
【０００４】
特許文献１の遊技機では、装飾部による装飾効果が低いという問題が考えられる。
【０００５】
本発明は、上記事情に鑑みてなされたもので、装飾部による装飾効果を高めることが可能な遊技機の提供を目的とする。
【課題を解決するための手段】
【０００６】
第１の手段は、発光手段と、前記発光手段を表側から覆い、前記発光手段からの光を透過させる光透過部を備えた第１装飾部と、前記第１装飾部の外側近傍に配置される第２装飾部と、を有する遊技機において、前記発光手段からの光を前記第２装飾部側へ導く光案内手段が形成されている、遊技機である。
【発明の効果】
【０００７】
上記発明によれば、装飾部による装飾効果を高めることが可能となる。
【図面の簡単な説明】
【０００８】
【図１】本発明の一実施形態に係る遊技機の斜視図
【図２】遊技盤の正面図
【図３】装飾部材周辺の拡大正面図
【図４】装飾部材の遊技盤への取付を示す分解斜視図
【図５】第１装飾部と第２装飾部の後方斜視図
【図６】装飾部材の分解斜視図
【図７】装飾部材と発光素子の側断面図
【図８】発光素子からの光の経路を示す概念図
【図９】第１装飾部の端部周辺の拡大分解斜視図
【図１０】装飾部材における第１突部及び第２突部周辺の拡大平断面図
【図１１】他の実施形態に係る装飾部材の側断面図
【発明を実施するための形態】
【０００９】
以下、本発明の一実施形態を図面に基づいて説明する。図１に示されるように、本実施形態の遊技機１０は、前面枠１０Ｚを前面に備え、その前面枠１０Ｚに形成されたガラス窓１０Ｗを通して、図２に示す遊技盤１１の前面に形成された遊技領域Ｒ１が視認可能になっている。
【００１０】
前面枠１０Ｚのうちガラス窓１０Ｗより下方には、上皿２６と下皿２７が上下２段にして設けられ、下皿２７の右側には、発射ハンドル２８が備えられている。そして、発射ハンドル２８が回動操作されると、上皿２６に収容された遊技球が遊技領域Ｒ１（図２）に向けて弾き出される。
【００１１】
図２に示されるように、遊技領域Ｒ１は、遊技盤１１の前面から突出したガイドレール１２に囲まれている。遊技盤１１のうち遊技領域Ｒ１の中央には、表示開口１１Ｈが貫通形成され、この表示開口１１Ｈを通して、表示装置１３の表示画面１３Ｇが前方に臨んでいる。
【００１２】
表示開口１１Ｈの開口縁には、表示画面１３Ｇを囲むように表示装飾枠２３が取り付けられている。表示装飾枠２３は、遊技盤１１の前面側から表示開口１１Ｈに嵌め込まれて遊技盤１１の前面から突出し、遊技領域Ｒ１を流下する遊技球が表示装飾枠２３の内側に進入することを規制している。
【００１３】
遊技領域Ｒ１のうち表示装飾枠２３より下側部分の横方向の中央部には、第１始動入賞口１４ＡＫが設けられている。第１始動入賞口１４ＡＫは、遊技球が１つずつ入球可能な大きさの開口を上部に有するポケット構造をなしている。
【００１４】
第１始動入賞口１４ＡＫの下方には、第１大入賞部１５Ａが設けられている。第１大入賞部１５Ａは、右側に開放した第１大入賞口１５ＡＫと、第２大入賞口１５ＢＫの右側に配置された第１可変部材１５ＡＴと、を備えている。第１可変部材１５ＡＴは、左下り傾斜し、遊技盤１１の前面から突出した突出位置と、該突出位置より突出が抑えられた退避位置と、の間をスライド可能に構成されている。そして、第１可変部材１５ＡＴが突出位置に配置されたときに、第１可変部材１５ＡＴを案内にして遊技球が第１大入賞口１５ＡＫに入球可能となり、第１可変部材１５ＡＴが退避位置に配置されたときに、遊技球が第１大入賞口１５ＡＫに入球困難となる。
【００１５】
遊技領域Ｒ１のうち表示装飾枠２３の右側には、始動ゲート１８が設けられている。始動ゲート１８は、遊技領域Ｒ１を流下する遊技球が潜って通過可能な門形状に形成されている。始動ゲート１８を遊技球が通過すると、普通図柄当否判定が行われる。
【００１６】
始動ゲート１８の下方には、第２始動入賞装置１４Ｂが設けられている。第２始動入賞装置１４Ｂは、左側に開放した第２始動入賞口１４ＢＫと、第２始動入賞口１４ＢＫの左側で右下がりに傾斜した始動可変部材１４ＢＴと、を備えている。始動可変部材１４ＢＴは、遊技盤１１の前面から突出した突出位置と該突出位置より突出が抑えられた退避位置との間をスライド可能に構成されていて、通常は、退避位置に配置され、上述した普通図柄当否判定の結果が当りになると、所定の期間だけ突出位置に配置される。そして、始動可変部材１４ＢＴが突出位置に配置されたときに、始動可変部材１４ＢＴを案内にして遊技球が第２始動入賞口１４ＢＫに入球可能となり、始動可変部材１４ＢＴが退避位置に配置されたときに、遊技球が始動入賞口１４ＢＫに入球困難となる。
【００１７】
第２始動入賞装置１４Ｂの下方には、第２大入賞装置１５Ｂが設けられている。第２大入賞装置１５Ｂは、上側に開放した第２大入賞口１５ＢＫと、第２大入賞口１５ＢＫを開閉する第２可変部材１５ＢＴと、を備えている。第２可変部材１５ＢＴは、遊技盤１１の前面から突出した突出位置と、該突出位置より突出が抑えられた退避位置と、の間をスライド可能に構成されている。そして、第２可変部材１５ＢＴが突出位置に配置されたときに、第２大入賞口１５ＢＫが閉塞されて遊技球が第２大入賞口１５ＢＫに入球困難となり、第２可変部材１５ＢＴが退避位置に配置されたときに、第２大入賞口１５ＢＫが開放されて遊技球が第２大入賞口１５ＢＫに入球可能となる。
【００１８】
第１始動入賞口１４ＡＫ又は第２始動入賞口１４ＢＫに遊技球が入球すると、所定数の遊技球が賞球として上皿２６（図１参照）に払い出されると共に、特別図柄当否判定が行われる。
【００１９】
特別図柄当否判定の結果が当りになると、大当り遊技が実行され、第１大入賞口１５ＡＫ又は第２大入賞口１５ＢＫに遊技球が入球可能となる。第１大入賞口１５ＡＫ又は第２大入賞口１５ＢＫに遊技球が入球すると、所定数の遊技球が賞球として払い出される。
【００２０】
遊技領域Ｒ１には、上述した入賞口１４ＡＫ，１４ＢＫ，１５ＡＫ，１５ＢＫのほかに、上方又は側方に開放して遊技球が常時入球可能な一般入賞口２０が複数設けられている。また、遊技領域Ｒ１の下端部、具体的には、第１可変部材１５ＡＴの下方には、何れの入賞口にも入球しなかった遊技球を遊技領域Ｒ１の外側に排出するためのアウト口１６が設けられている。さらに、遊技領域Ｒ１には、遊技球の流下方向をランダムに変更するための障害釘Ｋが多数植設されている。
【００２１】
図３に示されるように、遊技機１０は、表示装飾枠２３の内側に、光による演出を実行可能な装飾部材３０を備えている。装飾部材３０は、帯状に形成され、表示装飾枠２３の上部を横切るように配置されている。
【００２２】
図３及び４に示されるように、装飾部材３０は、発光基板３８を搭載した支持ベース３９に、支持ベース３９に前側から重ねられる第１装飾部３１と、第１装飾部３１の外側を囲む第２装飾部３２と、を組み付けてなる。
【００２３】
支持ベース３９は、表示装飾枠２３の内側に架け渡されて表示装飾枠２３に固定されている。支持ベース３９は、その前面側に発光基板３８を重ねて固定し、発光基板３８の前面には、発光面３３Ｍ（図７参照）を前面側に有する複数の発光素子３３が備えられている。なお、支持ベース３９には、複数の第１螺子挿通孔３９Ａと、複数の第２螺子挿通孔３９Ｂとが貫通形成されている。
【００２４】
図５に示されるように、第１装飾部３１は、後側ケース構成体６０と、前側ケース構成体７０と、拡散板８０と、からなる。図７に示されるように、後側ケース構成体６０と前側ケース構成体７０は、前後に重ね合わされてケース９０を形成する。拡散板８０は、ケース９０に収容される。
【００２５】
図５に示されるように、後側ケース構成体６０は、横長矩形状の主板６１と、主板６１の外周部から前側に突出した包囲壁６７と、を備えている。主板６１は、前側に開放した舟底形に形成されていて、前後方向に対して略垂直に配置される平板部６２と、平板部６２の上下の辺部から延設され平板部６２から離れるにつれて前側へ向かうように傾斜した１対の第１傾斜部６３，６３（図７参照）と、を備える。
【００２６】
主板６１の後面には、平板部６２と第１傾斜部６３，６３の一部を上下方向に切り欠いてなる切欠溝６１Ｍが形成されている。切欠溝６１Ｍの溝深さは、平板部６２の厚みより大きくなっていて、切欠溝６１Ｍの溝底壁６１Ｈには、平板部６２を上下方向に縦断する縦長開口６１Ａが形成されている。平板部６２は、複数の縦長開口６１Ａによって複数の領域に区画され、各領域には、縦長開口６１Ａよりも縦方向に短い複数の開口部６４が設けられている。また、平板部６２には、前側に突出する円形突部６５が設けられ、円形突部６２Ｔの中心部に、平板部６２を前後方向に貫通する貫通孔６５Ａが形成されている。
【００２７】
包囲壁６７のうち横方向で対向する部位からは、側方突部６６が外側側方に張り出している。側方突部６６には、側方突部６６を前後方向に貫通する位置決め孔６６Ａが設けられている。
【００２８】
前側ケース構成体７０は、光を透過可能な材料で構成された透光部材４０と、光を透過不能又は透光困難な材料で構成されて透光部材４０に前側から重ねられる非透光部材５０と、からなる。透光部材４０は、前後に扁平なプレート状をなし、前側に段付き状に突出した段付き突部４６を複数備えている。具体的には、透光部材５０は、横長矩形状に形成され、複数の段付き突部４６は、横並びに配置されている。また、透光部材４０のうち段付き突部４６に挟まれた部分には、複数の貫通孔４７が形成されている。
【００２９】
非透光部材５０は、複数の段付き突部４６に対応した複数の開口部５１を内側に有するカバー部５０Ｃと、カバー部５０Ｃの外周部から後側に突出した外周壁５０Ｈと、を備える。カバー部５０Ｃは、透光部材４０よりも横長に形成され、複数の開口部５１は、横並びに配置されている。カバー部５０Ｃのうち開口部５１に挟まれた部分からは、後側に複数の突起５３が突出している。また、カバー部５０Ｃの両側部には、貫通孔５２が形成されている。非透光部材５０が透光部材４０に重ねられると、段付き突部４６が開口部５１に受容され、透光部材４０の外側が外周壁５０Ｈに覆われる（図７参照）。また、このとき、非透光部材５０の突起５３が透光部材４０の貫通孔４７に挿通される。貫通孔４７に挿通された突起５３は、後述する拡散板８０の貫通孔８７と後側ケース構成体６０の貫通孔６５Ａを貫通して、後側ケース構成体６０の後面から飛び出している（図６参照）。
【００３０】
また、図７に示されるように、前側ケース構成体７０の非透光部材５０の開口部５１（即ち、透光部材４０の段付き突部４６）は、後側ケース構成体６０の複数の開口部６４に前側から重なる。
【００３１】
拡散板８０は、光を透過可能な材料で構成され、前面側にレンズカット８３が形成された拡散板本体８５と、拡散板本体８５の両側部から外側側方に張り出した張出部８６，８６と、を備えている。拡散板本体８５は、横長矩形状をなし、長手方向の複数箇所に貫通孔８７を有している。また、図５及び図９に示されるように、拡散板本体８５の両側部には、前側に突出する土手部８５Ｄが形成されていて、張出部８６は、土手部８５Ｄから張り出している。
【００３２】
張出部８６の前面からは、第１突部８１が突出している。また、張出部８６の後面からは、第２突部８２が突出している。第１突部８１は、柱部８１Ｈの前側にドーム部８１Ｄを備えてなる。また、第２突部８２は、突出先端側に縮径されるテーパー状に形成されている。そして、第１突部８１の柱部８１Ｈと第２突部８２は同軸に配置されている。本実施形態では、第１突部８１は、張出部８６から突出するので、第１突部８１の形成がレンズカット８３の妨げとなることが防がれる。第１突部８１と第２突部は、光を透過可能な材料で構成されている。
【００３３】
図４に示されるように、第２装飾部３２は、横長矩形枠状のフレーム部３２Ｆと、そのフレーム部３２Ｆの１対の長辺部３２Ｌ，３２Ｌ同士に架け渡された複数の架橋部３２Ｋとからなる。フレーム部３２Ｆは、前方から見て第１装飾部３１の外側近傍で、第１装飾部３１を囲むように配置されている。また、長辺部３２Ｌのうちフレーム部３２Ｆの内側に臨む部位は、フレーム部３２Ｆの内側へ下るように傾斜した第２傾斜部３４となっている。なお、第２装飾部３２の後面には、複数の円形突部３２Ｔが形成され、その円形突部３２Ｔには前後に延びる螺子孔３２Ｂが開口している（図６参照）。
【００３４】
第１装飾部３１と第２装飾部３２は、以下のようにして支持ベース３９に組み付けられている。まず、第２装飾部３２が、支持ベース３９に前側から重ねられて固定される（図７参照）。このとき、第２装飾部３２のフレーム部３２Ｆは、支持ベース３９の発光基板３８を囲むように配置される。架橋部３２Ｋは、前側から見て発光素子３３と第１螺子挿通孔３９Ａに対してずれた位置に配置される。また、円形突部３２Ｔの螺子孔３２Ｂ（図６参照）が支持ベース３９の第２螺子挿通孔３９Ｂ（図４参照）と重なる。そして、第２螺子挿通孔３９Ｂに後側から挿通された螺子が螺子孔３２Ｂと螺合することで、第２装飾部３２が支持ベース３９に固定される。
【００３５】
次に、図７に示すように、第１装飾部３１が第２装飾部３２の前側から支持ベース３９に重ねられて固定される。このとき、第１装飾部３１の後側ケース構成体６０の切欠溝６１Ｍ（図６参照）に第２装飾部３２のフレーム部３２Ｆの架橋部３２Ｋが受容される。これにより、横方向での第１装飾部３１と第２装飾部３２の位置ずれが抑制される。また、第２装飾部３２の架橋部３２Ｋは、第１装飾部３１の切欠溝６１Ｍの溝底壁６１Ｈ（詳細には、溝底壁６１Ｈのうち第１傾斜部６３に設けられている上下方向の両端部）に当接する。これにより、第１装飾部３１と第２装飾部３２のフレーム部３２Ｆとを所定の間隔に保つことが可能となる。また、後側ケース構成体６０の後面から飛び出した突起５３には、螺子孔５３Ａ（図６参照）が設けられていて、この螺子孔５３Ａと、支持ベース３９の第１螺子挿通孔３９Ａ（図４参照）とが重なる。そして、第１螺子挿通孔３９Ａに後側から挿通された螺子が螺子孔５３Ａと螺合することで第１装飾部３１が支持ベース３９に固定される。
【００３６】
図７に示されるように、第１装飾部３１と第２装飾部３２が支持ベース３９に組み付けられると、第２装飾部３２のフレーム部３２Ｆの内外方向で第１装飾部３１の第１傾斜部６３と第２装飾部３２の第２傾斜部３４が対向し、それら傾斜部６３，３４の間に隙間が形成される。第１傾斜部６３と第２傾斜部３４は、前側に向かうにつれて（発光基板３８から遠ざかるにつれて）フレーム部３２Ｆの外側へ向かうように傾斜する。
【００３７】
また、第１装飾部３１のうち後側ケース構成体６０の開口部６４と前側ケース構成体７０の非透光部材５０の開口部５１（即ち、透光部材４０の段付き突部４６）に、発光素子３３が後側から重なる。第１装飾部３１の後側ケース構成体６０の１対の傾斜部６３，６３にも、発光素子３３が後側から重なる。
【００３８】
図８には、発光素子３３が発光したときの光の進路が、矢印で示されている。発光素子３３の発光面３３Ｍからは光が等方的に出射される。ここで、後側ケース構成体６０の開口部６４に後側から重なる発光素子３３から発光面３３Ｍと垂直に出射された光は、第１装飾部３１を透過する。具体的には、この光は、後側ケース構成体６０の開口部６４を通過して拡散板８０を透過すると共に、透光部材４０のうち非透光部材５０の開口部５１の内側に配置された段付き突部４６（図７参照）も透過する。このように、本実施形態の遊技機１０では、発光素子３３からの光が第１装飾部３１を透過することで、発光素子３３により第１装飾部３１（詳細には、段付き突部４６）を光らせることが可能となる。また、本実施形態では、第１装飾部３１の拡散板８０により、第１装飾部３１の光りムラを抑制することが可能となる。しかも、発光素子３３が、後側ケース構成体６０の開口部６４と、前側ケース構成体７０の非透光部材５０の開口部５１とに後側から重なるので、発光素子３３からの光を開口部６４及び開口部５１で絞ることが可能となる。
【００３９】
一方、後側ケース構成体６０の第１傾斜部６３に後側から重なる発光素子３３から発光面３３Ｍと垂直に出射された光は、後側ケース構成体６０の第１傾斜部６３に当たる。ここで、第１傾斜部６３は、発光基板３８から遠ざかるにつれてフレーム部３２Ｆの外側へ向かうように傾斜するので、第１傾斜部６３に当たった光は、第２装飾部３２の長辺部３２Ｌに設けられた第２傾斜部３４側に向かって反射され、第２傾斜部３４を光らせることができる。しかも、第２傾斜部３４は、前側に向かうにつれて第１装飾部３１から離れるように傾斜しているので、第１傾斜部６３からの反射光を前側に反射させて第２傾斜部３４を効率良く光らせることが可能となる。
【００４０】
なお、第１傾斜部６３に後側から重なる上記発光素子３３からの光の一部は、斜め下方又は斜め上方に出射されて、第１傾斜部６３を経由せずに第２傾斜部３４に照射されて第２傾斜部３４を光らせる。
【００４１】
本実施形態では、このように、第１傾斜部６３と第２傾斜部３４とによって画成された空間が、発光素子３３からの光を第２装飾部３２へと導く光案内路Ｒとなっている。そして、この光案内路Ｒにより第１装飾部３１の外側を囲む第２装飾部３２に発光素子３３からの光が導かれることで、第２装飾部３２を光らせることが可能となる。
【００４２】
本実施形態の遊技機１０では、第１装飾部３１に加えて第２装飾部３２も光らせることができるので、第１装飾部３１と第２装飾部３２とによる装飾効果を高めることが可能となる。しかも、第２傾斜部３４がフレーム部３２Ｆの内側を向く面に形成されているので、第２装飾部３２が光ったときにその光で第１装飾部３１を縁取ることが可能となる。
【００４３】
また、本実施形態では、光案内路Ｒが、第１装飾部３１と第２装飾部３２との間に形成された隙間によって構成されるので、簡易な構造で発光素子３３からの光を第２装飾部３２側へ導くことが可能となる。しかも、第２装飾部３２の架橋部３２Ｋは、第１装飾部３１の切欠溝６１Ｍの溝底壁６１Ｈに当接しているので、第１装飾部３１の第１傾斜部６３と第２装飾部３２の第２傾斜部３４との間の光案内路Ｒを、一定の間隔に保つことが可能となると共に、第１傾斜部６３と第２傾斜部３４の配置を安定させることが可能となる。また、本実施形態では、光案内路Ｒは、第１装飾部３１の後面に形成されて発光基板３８から遠ざかるにつれてフレーム部３２Ｆの外側へ向かうように傾斜した第１傾斜部６３により画成されているので、発光素子３３からの光を第２装飾部３２側へ効率よく導くことが可能となる。さらに、光案内路Ｒは、第２装飾部３２のうち第１装飾部３１に外側から対向する部分に形成されて前側へ向かうにつれて第１装飾部３１から離れるように傾斜した第２傾斜部３４により画成されているので、第２装飾部３２を効率よく光らせることができる。
【００４４】
本実施形態では、第２装飾部３２を光らせる発光素子３３が、第１装飾部３１の後側に配置されているので、第２装飾部３２の後側に発光素子３３の配置スペースが確保できない場合でも、第２装飾部３２を光らせることが可能となる。
【００４５】
ところで、上述したように、第１装飾部３１は、後側ケース構成体６０と、前側ケース構成体７０と、拡散板８０と、からなる（図５及び図９参照）。これらの組み付けは、例えば以下のようにして行われる。まず、拡散板８０が、後側ケース構成体６０に対して前側から重ねられる。そして、拡散板８０の各第２突部８２が、後側ケース構成体６０の各位置決め孔６６Ａに挿通され、拡散板８０が後側ケース構成体６０に対して位置決めされる。このとき、拡散板８０の貫通孔８７と後側ケース構成体６０の貫通孔６５Ａが重なると共に、拡散板本体８５が後側ケース構成体６０の包囲壁６７に前側から重なる。本実施形態では、第２突部８２が、突出先端側に縮径されるテーパー状に形成されているので、位置決め孔６６Ａへの第２突部８２の挿通が容易となる。
【００４６】
次に、前側ケース構成体７０が、拡散板８０及び後側ケース構成体６０に前側から被せられる。そして、拡散板８０の各第１突部８１が、前側ケース構成体７０の非透光部材５０の各貫通孔５２に挿通されると共に、前側ケース構成体７０の後面（透光部材５０の後面）から突出した非透光部材５０の突起５３が拡散板８０の貫通孔８７に挿通され、前側ケース構成体７０が拡散板８０に対して位置決めされる。このとき、突起５３は、拡散板８０の後面から突出する（図６参照）。また、前側ケース構成体７０と後側ケース構成体６０とによりケース９０が形成され、そのケース９０に拡散板８０が収容される（図７参照）。
【００４７】
本実施形態では、前側ケース構成体７０と拡散板８０と後側ケース構成体６０は、螺子止めにより固定されている。具体的には、非透光部材５０の後面から突出する図示しない突起が、図５に示す透光部材４０の貫通孔４０Ｘと拡散板８０の貫通孔８０Ｘを貫通し、後側ケース構成体６０に設けられた貫通孔６０Ｘの開口縁に突き当てられる。そして、後側ケース構成体６０の貫通孔６０Ｘに後側から挿通された螺子が非透光部材５０の上記突起に形成された螺子孔と螺合することで、前側ケース構成体７０と拡散板８０と後側ケース構成体６０が固定され、第１装飾部３１が形成される（図６参照）。
【００４８】
第１装飾部３１が形成されると、図１０に示されるように、拡散板８０の張出部８６と土手部８５Ｄは、前側ケース構成体７０（詳細には、非透光部材５０）の後面に突き当てられる。また、第１突部８１のドーム状の前端部は、前側ケース構成体７０の非透光部材５０の貫通孔５２から前側に飛び出している。本実施形態では、拡散板８０の張出部８６が前側ケース構成体７０に突き当てられるので、貫通孔５２からの第１突部８１の飛び出し量を一定にすることが可能となる。
【００４９】
図１０に示されるように、第１装飾部３１が支持ベース３９に固定されると、拡散板８０の第１突部８１及び第２突部８２には、後側から発光素子３３が重なる。この発光素子３３（サブ発光素子３３Ｂということにする。）は、後側ケース構成体６０の開口部６４や第１傾斜部６３に後側から重なる発光素子３３（メイン発光素子３３Ａということにする。）とは別に設けられていて、具体的には、発光基板３８の横方向の両端部に配置されている（図４参照）。
【００５０】
サブ発光素子３３Ｂが発光すると、その発光面３３Ｍと垂直に出射された光は、第１装飾部３１を透過する。具体的には、この光は、第２突部８２を透過すると共に、第２突部８２と同軸に配置されて貫通孔５２の内側に配置された第１突部８１も透過する。これにより、本実施形態では、第１突部８１が、サブ発光素子３３Ｂからの光で発光することが可能となっている。また、本実施形態では、第２突部８２が、突出先端側に縮径されるテーパー状に形成されているので、第２突部８２の内部に導入された光を第１突部８１へ近づくにつれて広げることが可能となる。しかも、第１突部８１の前端部が、ドーム状に形成されて貫通孔５２から前側に飛び出しているので、第１突部８１の発光を目立ちやすくすることが可能となる。
【００５１】
なお、本実施形態では、第１突部８１の前端部が、ドーム状となっているが、円錐状や角錐状であってもよい。また、第１突部８１の前端面が平坦であってもよいし、凹面となっていてもよい。本実施形態では、第１突部８１が、第１装飾部３１のうち、横方向の端部に設けられているが、上下方向の端部に設けられていてもよいし、中心側の部分に設けられていてもよい。第１突部８１は、１つ設けられていてもよいし、複数設けられていてもよい。
【００５２】
本実施形態の遊技機１０によれば、以下の優れた効果を奏することができる。即ち、遊技機１０では、拡散板８０に設けられた第１突部８１が前側ケース構成体７０に設けられた貫通孔５２に挿通されることで、前側ケース構成体７０が拡散板８０に対して位置決めされる。ここで、第１突部８１は、発光素子３３からの光によって発光可能であり、貫通孔５２は、前側ケース構成体７０を貫通するので、第１突部８１の発光により前側ケース構成体７０を装飾することが可能となる。このように、本実施形態によれば、位置決め用の第１突部８１と貫通孔５２を、装飾に有効利用することが可能となる。また、本実施形態では、後側ケース構成体６０の開口部６４と第１傾斜部６３とに後側から重なるメイン発光素子３３Ａとは別に、第１突部８１に後側から重なるサブ発光素子３３Ｂが備えられているので、メイン発光素子３３Ａのみを備える場合よりも第１突部８１を明るく光らせることが可能となる。
【００５３】
また、本実施形態では、拡散板８０に設けられた第２突部８２が後側ケース構成体６０に設けられた位置決め孔６６Ａに挿通されることで、拡散板８０を後側ケース構成体６０に対して位置決めすることが可能となる。しかも、第２突部８２は、第１突部８１と同軸上に配置されるので、第２突部８２と位置決め孔６６Ａが発光素子３３からの光を第１突部８１へ導入するための案内路となり、第２突部８２と位置決め孔６６Ａの有効利用が図られる。
【００５４】
以下、本実施形態の遊技機１０から抽出される発明群の特徴について、必要に応じて効果等を示しつつ説明する。なお、以下では、理解の容易のため、上記実施形態において対応する構成を括弧書き等で適宜示すが、この括弧書き等で示した具体的構成に限定されるものではない。
【００５５】
＜特徴Ａ群＞
以下の特徴Ａ群は、「装飾部を有する」遊技機に関し、「特許文献Ａ（特開２０１０−１１９７１０号（段落［００３７］、図２８，２９））の遊技機では、第１装飾部としてのロゴ役物が第２装飾部としての枠体に囲まれている。」という背景技術について、「特許文献Ａの遊技機では、装飾部による装飾効果が低いという問題が考えられる。」という課題をもってなされたものである。
【００５６】
［特徴Ａ１］
発光手段（発光基板３８）と、
前記発光手段を表側（前側）から覆い、前記発光手段からの光を透過させる光透過部（前側ケース構成体７０の非透光部材５０の開口部５１と後側ケース構成体６０の開口部６４と拡散板８０）を備えた第１装飾部（第１装飾部３１）と、
前記第１装飾部の外側近傍に配置される第２装飾部（第２装飾部３２）と、を有する遊技機（遊技機１０）において、
前記発光手段からの光を前記第２装飾部側へ導く光案内手段（光案内路Ｒ）が形成されている、遊技機。
【００５７】
本特徴に示す構成では、第１装飾部が光透過部を備えることで、発光手段により第１装飾部を光らせることが可能となる。また、第１装飾部の外側近傍に配置される第２装飾部に発光手段からの光が導かれることで、第２装飾部を光らせることが可能となる。このように、本特徴に示す構成によれば、第１装飾部と第２装飾部の装飾効果を高めることが可能となる。
【００５８】
［特徴Ａ２］
前記第１装飾部は、前記第２装飾部に対して表側に配置され、
前記光案内手段は、前記第１装飾部と前記第２装飾部との間に形成された空間としての光案内路（光案内路Ｒ）である、特徴Ａ１に記載の遊技機。
【００５９】
光案内手段は、第１装飾部に照射される光の一部を第２装飾部側へ反射するハーフミラーであってもよいし、本特徴に示す構成のように、第１装飾部と第２装飾部との間に形成された空間としての光案内路であってもよい。本特徴に示す構成によれば、簡易な構造で発光手段からの光を第２装飾部側へ導くことが可能となる。
【００６０】
［特徴Ａ３］
前記光案内路は、前記第１装飾部の裏面（第１装飾部３１の後面）に形成されて前記第２装飾部に近づくにつれて前記発光手段から離れるように傾斜した第１傾斜面（第１傾斜部６３）により画成される、特徴Ａ２に記載の遊技機。
【００６１】
本特徴に示す構成によれば、発光手段からの光を第２装飾部側へ効率よく導くことが可能となる。
【００６２】
［特徴Ａ４］
前記第１装飾部は、表裏方向で対向する１対のプレート部（前側ケース構成体７０及び後側ケース構成体６０）の間に光拡散板（拡散板８０）を挟んでなり、
前記光透過部は、前記１対のプレート部のそれぞれに形成された開口部（開口部５１及び開口部６４）と前記光拡散板とによって形成され、
前記第１傾斜面は、前記１対のプレート部のうち裏側のプレート部（後側ケース構成体６０）の裏面（後面）に形成されている、特徴Ａ３に記載の遊技機。
【００６３】
本特徴に示す構成では、光拡散板によって第１装飾部の光りムラを抑制することが可能となる。
【００６４】
［特徴Ａ５］
前記光案内路は、前記第２装飾部のうち前記第１装飾部と対向する面に形成されて表側へ向かうにつれて前記第１装飾部から離れるように傾斜した第２傾斜面（第２傾斜部３４）により画成される、特徴Ａ２乃至４のうち何れか１に記載の遊技機。
【００６５】
本特徴に示す構成によれば、第２傾斜面によって光が表側に反射されるので、第２装飾部を効率よく光らせることが可能となる。
【００６６】
［特徴Ａ６］
前記第２装飾部には、前記第１装飾部を囲むフレーム部（フレーム部３２Ｆ）と、前記フレーム部の内側に架け渡された架橋部（架橋部３２Ｋ）と、が備えられ、
前記第２傾斜面は、前記フレーム部の内側を向く面に形成され、
前記第１装飾部は、前記架橋部に表側から当接している、特徴Ａ５に記載の遊技機。
【００６７】
本特徴に示す構成によれば、第１装飾部が第２装飾部の架橋部に当接することで、第１装飾部の表裏方向で第１装飾部と第２装飾部の位置ずれが抑制される。また、第２傾斜面がフレーム部の内側を向く面に形成されることで、第２装飾部が光ったときにその光で第１装飾部を縁取ることが可能となる。
【００６８】
［特徴Ａ７］
前記第１装飾部の裏面には、前記架橋部を受容する係合溝（切欠溝６１Ｍ）が設けられている、特徴Ａ６に記載の遊技機。
【００６９】
本特徴に示す構成では、架橋部と直交する方向での第１装飾部と第２装飾部の位置ずれが抑制される。
【００７０】
［特徴Ａ８］
第１装飾部（第１装飾部３１）と、
前記第１装飾部の外側近傍に配置される第２装飾部（第２装飾部３２）と、を有する遊技機（遊技機１０）において、
前記第１装飾部の裏側（後側）から前記第１装飾部に向けて光を照射可能な発光手段（発光基板３８）と、
前記発光手段からの光を前記第２装飾部側へ導く光案内手段（光案内路Ｒ）と、を有する、遊技機。
【００７１】
本特徴に示す構成では、第１装飾部の外側近傍に配置される第２装飾部に発光手段からの光が導かれることで、第２装飾部を光らせることが可能となる。これにより、第１装飾部と第２装飾部の装飾効果を高めることが可能となる。また、本特徴に示す構成では、第２装飾部の裏側に発行手段の配置スペースが確保できない場合でも、第２装飾部を光らせることが可能となる。
【００７２】
なお、特徴Ａ８に示す構成に、特徴Ａ２〜Ａ７に示す構成が組み合わされてもよい。
【００７３】
［特徴Ａ群に含まれる他の実施形態］
特徴Ａ群には、上記実施形態の他に、例えば、以下に示される実施形態も含まれる。
【００７４】
（ａ１）上記実施形態では、第２装飾部３２が、第１装飾部３１を囲むように構成されていたが、前方から見て第１装飾部３１の近傍に配置されていればよく、例えば、上下方向又は横方向から第１装飾部３１を挟むように構成されていてもよいし、上下方向又は横方向の一方側にのみ配置されていてもよい。また、第１装飾部３１を前方視環状に形成した場合には、その内側近傍に第２装飾部を配置してもよい。
【００７５】
（ａ２）上記実施形態では、発光素子３３からの光を第２装飾部３２へと導く光案内路Ｒが、空間で構成されていたが、光を透過可能な部材で構成されていてもよいし、光を透過可能な部材と空間とから構成されていてもよい。
【００７６】
（ａ３）上記実施形態では、発光素子３３から出射されて第１装飾部３１に当たった光を第２装飾部３２へと向かわせるために、第１装飾部３１による光の反射を利用していたが、光の屈折を利用してもよい。この場合、例えば、図１１に示される装飾部材３０Ｖのように、第１装飾部３１Ｖのうち発光素子３３に前側から重なる部分に、光を透過させると共にその光を第１装飾部３１Ｖの外側に屈折させることが可能な光屈折部６３Ｖを設けて、第２装飾部３２Ｖの第２傾斜部３４Ｖを光らせてもよい。この場合、発光素子３３と光屈折部６３Ｖの間の空間と、第１装飾部３１Ｖと第２装飾部３２Ｖの間の空間と、光屈折部６３Ｖと、から光案内路Ｒが構成される。
【００７７】
（ａ４）上記実施形態において、第１装飾部３１の後側ケース構成体６０は、光を透過可能な材料で構成されていてもよいし、光を透過不能又は透過困難な材料で構成されていてもよい。前者の場合、後側ケース構成体６０に、開口部６４が設けられていなくてもよい。
【００７８】
（ａ５）上記実施形態において、後側ケース構成体６０は、第１傾斜部６３の後面が発光素子３３からの光を反射し易い構成となっていることが好ましく、フレーム部３２Ｆは、第２傾斜部３４が発光素子３３からの光を反射し易い構成となっていることが好ましい。具体的には、第１傾斜部６３の後面又は第２傾斜部３４は、鏡（ハーフミラーも含まれる。）であってもよいし、白色、銀色等に着色されていてもよい。
【００７９】
（ａ６）上記実施形態では、第１装飾部３１の前側ケース構成体７０が、透光部材４０と非透光部材５０の２つの部材で構成されていたが、１つの部材で構成されていてもよい。この場合、その部材は、光を透過可能な材料で構成されていてもよいし、光を透過不能又は透過困難な材料で構成されていてもよい。後者の場合、発光素子３３からの光を前側に通過させる光透過部として、開口部が貫通形成されていればよい。
【００８０】
（ａ７）上記実施形態において、第１装飾部３１が、拡散板８０を備えていない構成であってもよい。この構成では、第１装飾部３１が、ケース状の部材となっていなくてもよく、前側ケース構成体７０と後側ケース構成体６０とから構成される代わりに、１つの部材で構成されていてもよい。
【００８１】
（ａ８）上記実施形態では、第１装飾部３１の後側ケース構成体６０の後面に、切欠溝６１Ｍが設けられていたが、切欠溝６１Ｍが設けられずに、平板部６２の後面が平坦であってもよい。この場合においても、第２装飾部３２の架橋部３２Ｋが、第１装飾部３１の平板部６２に当接した状態で、第１装飾部３１と第２装飾部３２を支持ベース３９に組み付けることで、第１傾斜部６３と第２傾斜部３４との間の光案内路Ｒを、一定の間隔に保つことが可能となる。
【００８２】
＜特徴Ｂ群＞
以下の特徴Ｂ群は、遊技機に関し、「特許文献Ｂ（特開２０１０−０１７３５９号（段落［００１９］〜［００２０］、図２、図３））の遊技機では、発光基板及び光拡散部材がカバー部材に覆われている。そして、カバー部材と光拡散部材に設けられた突部と孔の係合により、カバー部材が光拡散部材に対して位置決めされている。」という背景技術について、「特許文献Ｂの遊技機では、カバー部材と光拡散部材の突部と孔が位置決めの役割しか持たず、有効利用されていなかった。」という課題をもってなされたものである。
【００８３】
［特徴Ｂ１］
発光手段（発光基板３８）と、
前記発光手段を前側から覆う光拡散部材（拡散板８０）と、
前記光拡散部材を前側から覆うフロントカバー（前側ケース構成体７０）と、を有する遊技機（遊技機１０）において、
前記光拡散部材から前記フロントカバー側に突設されて、前記発光手段からの光により  発光可能な第１突部（第１突部８１）と、
前記フロントカバーを貫通して、前記第１突部が挿通される第１貫通孔（貫通孔５２）と、を有する、遊技機。
【００８４】
本特徴に示す構成では、光拡散部材に設けられた第１突部がフロントカバーに設けられた第１貫通孔に挿通されることで、フロントカバーが光拡散部材に対して位置決めされる。ここで、第１突部は、発光手段からの光によって発光可能であり、第１貫通孔は、フロントカバーを貫通するので、第１突部の発光によりフロントカバーを装飾することが可能となる。このように、本特徴の構成によれば、位置決め用の第１突部と第１貫通孔を、装飾に有効利用することが可能となる。
【００８５】
［特徴Ｂ２］
前記発光手段と前記光拡散部材との間に配置されて前記発光手段からの光を通す開口部（開口部６４）を備えたバックプレート（後側ケース構成体６０）と、
前記光拡散部材から後側に突設され、前記第１突部に後側から重なって前記発光手段からの光を前記第１突部に案内可能な第２突部（第２突部８２）と、
前記バックプレートを貫通して、前記第２突部が挿通される第２貫通孔（位置決め孔６６Ａ）と、を有する、特徴Ｂ１に記載の遊技機。
【００８６】
本特徴に示す構成では、光拡散部材に設けられて第２突部がバックプレートに設けられた第２貫通孔に挿通されることで、光拡散部材をバックプレートに対して位置決めすることが可能となる。しかも、第２突部は、第１突部に後側から重なるので、第２突部と第２貫通孔が発光手段からの光を第１突部へ導入するための案内路となり、第２突部と第２貫通孔の有効利用が図られる。
【００８７】
［特徴Ｂ３］
前記第２突部は、突出先端側に縮径されるテーパー状に形成されている、特徴Ｂ２に記載の遊技機。
【００８８】
本特徴に示す構成では、第２突部の第２貫通孔への挿通が容易となる。また、第２突部の内部に導入された光を第１突部へ近づくにつれて広げることが可能となる。
【００８９】
［特徴Ｂ４］
前記発光手段は、基板に複数の発光素子（発光素子３３）を搭載してなる発光基板（発光基板３８）であって、
前記複数の発光素子には、前記第１突部に後側から重ならないメイン発光素子（メイン発光素子３３Ａ）と、前記第１突部に後側から重なるサブ発光素子（サブ発光素子３３Ｂ）が含まれる、特徴Ｂ１乃至Ｂ３のうち何れか１に記載の遊技機。
【００９０】
本特徴に示す構成では、第１突部に後側から重ならないメイン発光素子とは別に、第１突部に後側から重なるサブ発光素子を備えるので、メイン発光素子のみを備える場合よりも第１突部を明るく光らせることが可能となる。
【００９１】
［特徴Ｂ５］
前記メイン発光素子は、前記開口部に後側から重なる、特徴Ｂ２又はＢ３に従属する特徴Ｂ４に記載の遊技機。
【００９２】
本特徴に示す構成では、メイン発光素子からの光を開口部で絞ることが可能となる。
【００９３】
［特徴Ｂ６］
前記第１突部の前端部（ドーム部８１Ｄ）は、ドーム状に形成されて前記第１貫通孔から前側に飛び出している、特徴Ｂ１乃至Ｂ５のうち何れか１に記載の遊技機。
【００９４】
本特徴に示す構成では、第１突部の発光を目立ちやすくすることが可能となる。
【００９５】
［特徴Ｂ７］
前記光拡散部材は、レンズカット（レンズカット８３）を前面に有する本体部（拡散板本体８５）と、前記本体部の側方で前側に飛び出して前記フロントカバーに突き当てられる側方突当部（張出部８６）と、を備え、
前記第１突部は、前記側方突当部の前面から突出する、特徴Ｂ１乃至Ｂ６のうち何れか１に記載の遊技機。
【００９６】
本特徴に示す構成では、第１貫通孔への第１突部の突入量を一定にしたり、第１貫通孔から第１突部が飛び出す場合にはその飛び出し量を一定にしたりすることが可能となる。また、第１突部は、側方突当部から突出するので、第１突部の形成がレンズカットの妨げとなることが防がれる。
【００９７】
［特徴Ｂ８］
発光手段（発光基板３８）と、
前記発光手段に重ねられるベース部材（拡散板８０及び後側ケース構成体６０）と、
前記ベース部材を前記発光手段と反対側から覆う第１カバー部材（前側ケース構成体７０）と、を有する遊技機（遊技機１０）において、
前記ベース部材から前記第１カバー部材側に突設された位置決め突部（第１突部８１）と、
前記第１カバー部材を貫通して、前記位置決め突部が挿通される位置決め孔（貫通孔５２）と、
前記発光手段からの光を前記位置決め突部に導入して、前記位置決め突部を発光可能にする光導入機構（第２突部８２及び位置決め孔６６Ａ）と、を有する遊技機。
【００９８】
本特徴に示す構成では、ベース部材に設けられた位置決め突部が第１カバー部材に設けられた位置決め孔に挿通されることで、第１カバー部材がベース部材に対して位置決めされる。ここで、位置決め突部は、発光手段からの光によって発光可能であり、位置決め孔は、カバー部材を貫通するので、位置決め突部の発光によりカバー部材を装飾することが可能となる。このように、本特徴の構成によれば、位置決め突部と位置決め孔を、装飾に有効利用することが可能となる。
【００９９】
［特徴Ｂ９］
前記ベース部材は、透光部材（拡散板８０）と、前記発光手段と前記透光部材との間に配置されて前記発光手段からの光を通す開口部（開口部６４）を備えた第２カバー部材（後側ケース構成体６０）と、を備えると共に、
前記光導入機構は、前記透光部材から前記第２カバー部材側に突設されて前記位置決め突部に重なる導入突部（第２突部８２）と、前記第２カバー部材を貫通して前記導入突部が挿通される導入貫通孔（位置決め孔６６Ａ）と、を備える、特徴Ｂ８に記載の遊技機。
【０１００】
本特徴に示す構成では、透光部材に設けられた導入突部が第２カバー部材に設けられた導入貫通孔に挿通されることで、透光部材を第２カバー部材に対して位置決めすることが可能となる。しかも、導入突部と導入貫通孔が、発光手段からの光を位置決め突部へ導入するために利用されるので、導入突部と導入貫通孔の有効利用が図られる。
【０１０１】
［特徴Ｂ１０］
発光部（拡散板８０）と、
前記発光部を覆うカバー部（前側ケース構成体７０）と、を有する遊技機（遊技機１０）において、
前記発光部から前記カバー部側に突設された位置決め突部（第１突部８１）と、
前記カバー部を貫通して、前記位置決め突部が挿通される位置決め孔（貫通孔５２）と、を有する、遊技機。
【０１０２】
本特徴に示す構成では、発光部に設けられた位置決め突部がカバー部に設けられた位置決め孔に挿通されることで、カバー部が発光部に対して位置決めされる。ここで、位置決め突部は、発光部によって発光可能であり、位置決め孔は、カバー部を貫通するので、位置決め突部の発光によりカバー部を装飾することが可能となる。このように、本特徴の構成によれば、位置決め突部と位置決め孔を、装飾に有効利用することが可能となる。
【０１０３】
なお、特徴Ｂ８又はＢ９に示す構成に、特徴Ｂ３〜Ｂ７に示す構成が組み合わされてもよい。また、特徴Ｂ１０に示す構成に、特徴Ｂ１〜Ｂ９に示す構成が組み合わされてもよい。
【０１０４】
［特徴Ｂ群に含まれる他の実施形態］
特徴Ｂ群には、上記実施形態の他に、例えば、以下に示される実施形態も含まれる。
【０１０５】
（ｂ１）上記実施形態では、第１突部８１と第２突部８２が、同軸に配置されていたが、前後方向で重なっていればよく、例えば、第１突部８１と第２突部８２の軸が平行となるようにずれて配置されていてもよい。
【０１０６】
（ｂ２）上記実施形態では、第１突部８１が、前側ケース構成体７０の非透光部材５０の貫通孔５２から前側に飛び出ていたが、飛び出ていなくてもよい。この場合においても、拡散板８０の張出部８６を前側ケース構成体７０に突き当てることにより、貫通孔５２への第１突部８１の突入量を一定にすることが可能となる。
【０１０７】
（ｂ３）上記実施形態において、後側ケース構成体６０に貫通形成された位置決め孔６６Ａの代わりに、後側ケース構成体６０の前面に第２突部８２を受容する凹部が設けられていてもよい。この場合、その凹部の底部を、サイド発光素子３３Ｂからの光が透過可能な材料で構成すればよい。
【０１０８】
（ｂ４）上記実施形態において、第２突部８２が設けられていなくてもよい。この場合、後側ケース構成体６０のうち第１突部８２に後側から重なる部分に、サイド発光素子３３Ｂからの光を通す光透過部材又は貫通孔を設ければよい。なお、この場合、例えば、拡散板８０のうち第１突部８１に対して側方にずれた位置から、第２突部８２とは別の突部を突出させると共に、その別の突部を受容する凹部を後側ケース構成体６０に形成することで、拡散板８０を後側ケース構成体６０に対して位置決めすることができる。
【符号の説明】
【０１０９】
１０    遊技機
３０    装飾部材
３１    第１装飾部
３２    第２装飾部
３３    発光素子
３８    発光基板
３４    第２傾斜部
５２    貫通孔
６０    後側ケース構成体
６３    第１傾斜部
７０    前側ケース構成体
８０    拡散板
８１    第１突部
８２    第２突部
Ｒ    光案内路
【図１】
2019165972.tif 000003
【図２】
2019165972.tif 000004
【図３】
2019165972.tif 000005
【図４】
2019165972.tif 000006
【図５】
2019165972.tif 000007
【図６】
2019165972.tif 000008
【図７】
2019165972.tif 000009
【図８】
2019165972.tif 000010
【図９】
2019165972.tif 000011
【図１０】
2019165972.tif 000012
【図１１】
2019165972.tif 000013